(57)【特許請求の範囲】
【請求項１】
モバイル通信ネットワークの一部を形成するためのインフラストラクチャ機器であって、前記インフラストラクチャ機器は、
ワイヤレスアクセスインターフェースを介して通信デバイスにデータを送信するように構成される送信機ユニットと、
前記ワイヤレスアクセスインターフェースを介して通信デバイスから送信されたデータを受信するように構成される受信機ユニットと、ホスト周波数帯域幅にわたって複数の通信リソース要素を提供し、及び、第１の仮想キャリアを形成する第１の周波数帯域幅内で前記送信機ユニットによって送信される前記データを表す信号を受信するための低減ケイパビリティデバイスへの好ましい割当てのために前記第１の帯域幅内の通信リソース要素の第１のセクションを前記ホスト周波数帯域幅内に含める、前記ワイヤレスアクセスインターフェースを形成するように前記送信機ユニットと前記受信機ユニットとを制御するように構成されるコントローラと、を備え、前記低減ケイパビリティデバイスはそれぞれ、前記第１の周波数帯域幅よりも大きいか又はそれに等しいが前記ホスト周波数帯域幅よりも小さい受信機帯域幅を有し、前記コントローラは、前記送信機ユニットと前記受信機ユニットとの組合せで、
前記ワイヤレスアクセスインターフェースを介して前記データを表す信号を受信するための通信デバイスの相対的ケイパビリティを前記通信デバイスから受信することと、前記相対的ケイパビリティは、前記第１の帯域幅よりも大きいか又はそれに等しい前記ホスト周波数範囲内で前記信号を受信するための前記通信デバイスの相対的帯域幅の標識を少なくとも含み、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を行うように構成される、インフラストラクチャ機器。
【請求項２】
前記インフラストラクチャ機器は、前記第１の仮想キャリアの容量と前記低減ケイパビリティデバイスによる前記第１の仮想キャリアの前記通信リソース要素への要望とに応じて、前記通信デバイスに前記第１の帯域幅外の前記通信リソース要素を割り当てる、請求項１に記載のインフラストラクチャ機器。
【請求項３】
前記送信機ユニットと前記受信機ユニットとの組合せでの前記コントローラは、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスの所定のクラスの１つに対応する帯域幅内の共有通信リソース要素を前記通信デバイスに割り当てるリソース割当てメッセージを前記通信デバイスに送信することと、
を行うように構成される、請求項１に記載のインフラストラクチャ機器。
【請求項４】
前記コントローラは、前記受信機ユニットとの組合せで、
前記通信デバイスのうちの１つから、前記所定のクラスのうちの１つからの前記通信デバイスの前記クラスを受信するように構成され、各クラスは、前記通信デバイスが前記ワイヤレスアクセスインターフェースから信号を受信することができる異なる周波数帯域幅を定義する、
請求項３に記載のインフラストラクチャ機器。
【請求項５】
前記コントローラは、前記送信機ユニットと前記受信機ユニットとの組合せで、
前記モバイル通信ネットワークにアタッチするようにとの要求を受信したことに応答して、前記通信デバイスが属する前記クラスの標識を通信するようにとの要求を送信することと、
前記通信デバイスの前記クラスについての前記送信された要求に応答して、前記通信デバイスの前記クラスの標識を受信することと、
を行うように構成される、請求項４に記載のインフラストラクチャ機器。
【請求項６】
前記コントローラは、前記送信機ユニットと前記受信機ユニットとの組合せで、
前記ワイヤレスアクセスインターフェースの前記ホスト周波数帯域幅内で、第２の帯域幅内の前記低減ケイパビリティデバイスへの好ましい割当てのための通信リソース要素の第２のセクションを提供する、第２の仮想キャリアとの前記ワイヤレスアクセスインターフェースを形成することと、
前記第２の仮想キャリアのロケーションを提供するシグナリング情報を送信することと、
前記通信デバイスのケイパビリティに従って、前記第２の仮想キャリアと前記第１の仮想キャリアとの通信リソース要素から前記通信デバイスのうちの１つにデータを表す信号を送信することと、
を行うように構成される、請求項１に記載のインフラストラクチャ機器。
【請求項７】
前記コントローラは、前記送信機ユニットと前記受信機ユニットとの組合せで、
前記第１の仮想キャリアと前記第２の仮想キャリアとの通信リソース要素を割り当てるためのメッセージを前記通信デバイスに通信するための制御チャネルを含む、前記第１の仮想キャリアとの前記ワイヤレスアクセスインターフェースを形成することと、
前記通信デバイスに前記制御チャネル上でリソース割当てメッセージを送信することと、前記リソース割当てメッセージが、前記第１の仮想キャリアと前記第２の仮想キャリアとの内の通信リソース要素を割り当てることと、
前記第１の仮想キャリアと前記第２の仮想キャリアとの前記割り当てられた通信リソース要素から前記低減ケイパビリティ通信デバイスに信号を送信することと、
を行うように構成される、請求項６に記載のインフラストラクチャ機器。
【請求項８】
前記第１の仮想キャリアは、実質的に前記ホスト周波数帯域幅の中央に位置する、請求項１に記載のインフラストラクチャ機器。
【請求項９】
前記第１の仮想キャリア帯域幅は、他の制御情報を提供するための１つ以上の他の制御チャネルを含み、前記コントローラは、前記受信機ユニットとの組合せで、前記他の制御チャネルから他の制御情報を受信するように構成される、請求項８に記載のインフラストラクチャ機器。
【請求項１０】
モバイル通信ネットワークの一部を形成するためのインフラストラクチャ機器から通信デバイスと通信する方法であって、前記方法は、
ワイヤレスアクセスインターフェースを介して通信デバイスにデータを送信することと、
前記ワイヤレスアクセスインターフェースを介して通信デバイスから送信されたデータを受信することと、前記ワイヤレスアクセスインターフェースが、ホスト周波数帯域幅にわたって複数の通信リソース要素を提供し、及び、第１の仮想キャリアを形成する前記第１の帯域幅内で前記送信機ユニットによって送信される前記データを表す信号を受信するための低減ケイパビリティデバイスへの好ましい割当てのために第１の周波数帯域幅内の通信リソース要素の第１のセクションを前記ホスト周波数帯域幅内に含めることと、前記低減ケイパビリティデバイスがそれぞれ、前記第１の周波数帯域幅よりも大きいか又はそれに等しいが前記ホスト周波数帯域幅よりも小さい受信機帯域幅を有することと、
前記ワイヤレスアクセスインターフェースを介して前記データを表す信号を受信するための通信デバイスの相対的ケイパビリティを前記通信デバイスから受信することと、前記相対的ケイパビリティが、前記第１の帯域幅よりも大きいか又はそれに等しい前記ホスト周波数範囲内で前記信号を受信するための少なくとも１つの前記通信デバイスの相対的帯域幅の標識を含むことと、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を含む、方法。
【請求項１１】
前記第１の仮想キャリアの前記第１の周波数範囲外の通信リソース要素を前記割り当てることは、前記第１の仮想キャリアの容量と前記低減ケイパビリティデバイスによる前記第１の仮想キャリアの前記通信リソース要素への要望とに応じて、前記通信デバイスに前記第１の仮想キャリア外の前記通信リソース要素を割り当てることを含む、請求項１０に記載の方法。
【請求項１２】
前記第１の周波数帯域幅外にある通信リソース要素を含む通信リソース要素を前記割り当てることは、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスの所定のクラスのうちの１つに対応する帯域幅内の共有通信リソース要素を前記通信デバイスに割り当てるリソース割当てメッセージを前記通信デバイスに送信することと、
を含む、請求項１０に記載の方法。
【請求項１３】
前記第１の仮想キャリア外の通信リソースを前記割り当てることは、
前記通信デバイスのうちの１つから、前記所定のクラスのうちの１つからの前記通信デバイスの前記クラスを受信することを含み、各クラスは、前記通信デバイスが前記ワイヤレスアクセスインターフェースから信号をその内で受信することができる異なる周波数帯域幅を定義する、
請求項１２に記載の方法。
【請求項１４】
前記通信デバイスのうちの１つから、前記所定のクラスのうちの１つからの前記通信デバイスの前記前記クラスを受信することは、
前記モバイル通信ネットワークにアタッチするようにとの要求を受信したことに応答して、前記通信デバイスが属する前記クラスの標識を通信するようにとの要求を送信することと、
前記通信デバイスの前記クラスについての前記送信された要求に応答して、前記通信デバイスの前記クラスの標識を受信することと、
を含む、請求項１３に記載の方法。
【請求項１５】
前記第１の仮想キャリア外の通信リソースを前記割り当てることは、
前記ワイヤレスアクセスインターフェースの前記ホスト周波数帯域幅内で、第２の帯域幅内の前記低減ケイパビリティデバイスへの好ましい割当てのための通信リソース要素の第２のセクションを提供する、第２の仮想キャリアとの前記ワイヤレスアクセスインターフェースを形成することと、
前記第２の仮想キャリアのロケーションを提供するシグナリング情報を送信することと、
前記通信デバイスのケイパビリティに従って、前記第２の仮想キャリアと前記第１の仮想キャリアとの通信リソース要素から前記通信デバイスのうちの１つにデータを表す信号を送信することと、
を含む、請求項１０に記載の方法。
【請求項１６】
前記第１の仮想キャリアとの前記ワイヤレスアクセスインターフェースを前記形成することは、
前記第１の仮想キャリアと前記第２の仮想キャリアとの通信リソース要素を割り当てるためのメッセージを前記通信デバイスに通信するための制御チャネルを含む、前記第１の仮想キャリアとの前記ワイヤレスアクセスインターフェースを形成することと、
前記通信デバイスに前記制御チャネル上でリソース割当てメッセージを送信することと、前記リソース割当てメッセージが、前記第１の仮想キャリアと前記第２の仮想キャリアとの内の通信リソース要素を割り当てることと、
前記第１の仮想キャリアと前記第２の仮想キャリアとの前記割り当てられた通信リソース要素から前記低減ケイパビリティ通信デバイスに信号を送信することと、
を含む、請求項１４に記載の方法。
【請求項１７】
前記第１の仮想キャリアは、実質的に前記ホスト周波数帯域幅の中央に位置する、請求項１０に記載の方法。
【請求項１８】
前記第１の仮想キャリアは、他の制御情報を提供するための１つ以上の他の制御チャネルを含み、前記コントローラは、前記受信機ユニットとの組合せで、前記他の制御チャネルから他の制御情報を受信するように構成される、請求項１７に記載の方法。
【請求項１９】
通信デバイスにデータを送信するために又はそれからデータを受信するためにワイヤレスアクセスインターフェースを形成するように構成される１つ以上のインフラストラクチャ機器を備えるモバイル通信ネットワークであって、前記ワイヤレスアクセスインターフェースは、ホスト周波数帯域幅にわたって複数の通信リソース要素を提供し、及び、第１の仮想キャリアを形成する第１の周波数帯域幅内で前記送信機ユニットによって送信される前記データを表す信号を受信するための好ましくは低減ケイパビリティデバイスへの割当てのために前記第１の帯域幅内の通信リソース要素の第１のセクションを前記ホスト周波数帯域幅内に含め、前記低減ケイパビリティデバイスはそれぞれ、前記第１の周波数帯域幅よりも大きいか又はそれに等しいが前記ホスト周波数帯域幅よりも小さい受信機帯域幅を有し、前記インフラストラクチャ機器は、
前記ワイヤレスアクセスインターフェースを介して前記データを表す信号を受信するための通信デバイスの相対的ケイパビリティを前記通信デバイスから受信することと、前記相対的ケイパビリティが、前記第１の帯域幅よりも大きいか又はそれに等しい前記ホスト周波数範囲内で前記信号を受信するための少なくとも前記通信デバイスの相対的帯域幅の標識を含むことと、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を行うように構成される、モバイル通信ネットワーク。
【請求項２０】
前記インフラストラクチャ機器は、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスのクラスの所定の数のうちの１つに対応する帯域幅内の共有通信リソース要素を前記通信デバイスに割り当てるリソース割当てメッセージを前記通信デバイスに送信することと、
を行うように構成される、請求項１９に記載のモバイル通信ネットワーク。
【請求項２１】
前記インフラストラクチャ機器は、
前記通信デバイスのうちの１つから、前記所定のクラスのうちの１つからの前記通信デバイスの前記クラスを受信するように構成され、各クラスは、前記通信デバイスが前記ワイヤレスアクセスインターフェースから信号をその内で受信することができる異なる周波数帯域幅を定義する、
請求項２０に記載のモバイル通信ネットワーク。
【請求項２２】
モバイル通信ネットワークと通信デバイスとを備えるモバイル通信システムであって、
前記モバイル通信ネットワークは、通信デバイスにデータを送信するために又はそれからデータを受信するためにワイヤレスアクセスインターフェースを形成するように構成される１つ以上のインフラストラクチャ機器を備え、前記ワイヤレスアクセスインターフェースは、ホスト周波数帯域幅にわたって複数の通信リソース要素を提供し、及び、第１の仮想キャリアを形成する第１の周波数帯域幅内で前記送信機ユニットによって送信される前記データを表す信号を受信するための好ましくは低減ケイパビリティデバイスへの割当てのために前記第１の帯域幅内の通信リソース要素の第１のセクションを前記ホスト周波数帯域幅内に含め、前記低減ケイパビリティデバイスはそれぞれ、前記第１の周波数帯域幅よりも大きいか又はそれに等しいが前記ホスト周波数帯域幅よりも小さい受信機帯域幅を有し、前記通信デバイスは、
前記ワイヤレスアクセスインターフェースを介してデータを受信するための前記通信デバイスの相対的ケイパビリティを前記モバイル通信ネットワークに送信するように構成され、前記相対的ケイパビリティは、前記第１の帯域幅よりも大きいか又はそれに等しい前記ホスト周波数範囲内で少なくとも前記受信機ユニットの相対的帯域幅の標識を含み、
前記インフラストラクチャ機器は、
前記通信デバイスから前記通信デバイスの前記相対的ケイパビリティを受信することと、応答して、前記通信デバイスの前記相対的ケイパビリティの前記標識に応答して、前記通信デバイスに前記第１の周波数帯域幅外にあるが前記通信デバイスの前記帯域幅内にある通信リソース要素を割り当てることと、を行うように構成される、
モバイル通信システム。
【発明の詳細な説明】
【技術分野】
【０００１】
本開示は、モバイル通信ネットワークのためのインフラストラクチャ機器と、モバイル通信ネットワークと、モバイル通信ネットワークを使用して通信するシステム及び方法とに関する。
【背景技術】
【０００２】
モバイル通信システムは、ワイヤレス通信サービスをより多様な電子デバイスに提供するように開発され続けている。より近年では、３ＧＰＰ規定のＵＭＴＳ及びＬＴＥ（Long  Term  Evolution）アーキテクチャに基づくモバイル電気通信システムなど、第３世代及び第４世代モバイル電気通信システムは、前世代のモバイル電気通信システムによって供給される単純なボイス及びメッセージングサービスよりも高性能な通信サービスをパーソナルコンピューティング及び通信デバイスにサポートするように開発されている。例えば、ＬＴＥシステムによって提供される改善された無線インターフェース及び拡張データレートがあれば、ユーザは、以前は固定回線データ接続のみを介して利用可能であった、モバイルビデオストリーミング及びモバイルビデオ会議などの高データレートアプリケーションを享受し得る。したがって、第３世代及び第４世代ネットワークを展開せよという需要が強く、これらのネットワークのカバレージエリア、即ち、これらのネットワークへのアクセスが可能である地理的ロケーションが、急速に増加することが予想される。
【０００３】
より最近では、いくつかのタイプのエレクトロニクスデバイスに高データレート通信サービスを提供することよりむしろ、より単純であまり高性能でないエレクトロニクスデバイスに通信サービスを提供することも望ましいことが認識されている。例えば、いわゆるマシンタイプ通信（ＭＴＣ）アプリケーションは、比較的低頻度に少量のデータを通信し得る半自律的な又は自律的なワイヤレス通信デバイスであり得る。いくつかの例としては、例えば、顧客の家屋中に配置され、ガス、水道、電気などの公益事業の顧客の消費量に関係するデータを、中央ＭＴＣサーバに周期的に情報を返信する、いわゆるスマートメーターが含まれる。
【０００４】
ＭＴＣタイプデバイスなどの通信デバイスが、第３世代又は第４世代モバイル電気通信ネットワークによって提供される広いカバレージエリアを利用することが好都合であり得るが、現在欠点がある。スマートフォンなどの従来の第３世代又は第４世代通信デバイスとは異なり、ＭＴＣタイプデバイスは、好ましくは比較的単純で安価である。ＭＴＣタイプデバイスによって実行される機能のタイプ（例えばデータを収集し及び返報すること）は、実行するために特に複雑な処理を要しない。
【発明の概要】
【発明が解決しようとする課題】
【０００５】
了解されるように、多くのタイプの通信デバイスが電力を節約したいという要望があり得る。しかしながら、これは特にＭＴＣタイプデバイスに当てはまり得、ＭＴＣタイプデバイスは、あまり高性能でない送受信機を用いて動作するように配置され、例えば低電力及びバッテリー式で動作され得、例えばバッテリーが交換される前に多くの時間の間配備され得る。したがって、モバイル通信ネットワークとともに動作するすべてのタイプの通信デバイスの電力が節約され得る配置を提供したいという要望がある。
【課題を解決するための手段】
【０００６】
本開示の実施形態は、一例では、モバイル通信ネットワークにデータを送信し及びそれからデータを受信するための通信デバイスを提供することができる。モバイル通信ネットワークは、通信デバイスのためのワイヤレスアクセスインターフェースを提供する１つ以上のネットワーク要素を含む。ワイヤレスアクセスインターフェースは、例えばモバイルデバイスがモバイル通信ネットワークを介して通信するために利用可能な全帯域幅又はホスト帯域幅であるホスト周波数範囲にわたって複数の通信リソース要素を提供する。全帯域幅は、モバイル通信ネットワークのアップリンク又はダウンリンクに対応し得る。モバイル通信ネットワークは、第１の仮想キャリアを形成する低減ケイパビリティデバイスへの好ましい割当てのために第１の周波数帯域幅内の通信リソース要素の第１のセクションをホスト周波数帯域幅内に含むワイヤレスアクセスインターフェースを提供するように適応される。低減ケイパビリティデバイスはそれぞれ、第１の周波数帯域幅よりも大きいか又はそれに等しいがホスト周波数帯域幅よりも小さい受信機帯域幅を有する。モバイル通信ネットワークは、モバイル通信ネットワークのホストキャリアの全帯域幅を使用して通信することが可能である通信デバイスへの通信リソースの割当てと比較して通信リソースの第１のセクションの通信リソースへの優先権が低減ケイパビリティデバイスに与えられるという意味において、好ましくは低減ケイパビリティデバイスに通信リソースを割り当てる。一例では、第１の仮想キャリアを形成する通信リソースの第１のセクションは低減ケイパビリティデバイスのみへの割当てのために予約されるが、他の例では、低減ケイパビリティデバイスからの通信リソースについての要望が通信リソースのいくつかを割り当てられないままにする場合、第１の仮想キャリアの第１のセクションの通信リソースのいくつかは全ケイパビリティ通信デバイスに割り当てられ得る。
【０００７】
通信デバイスは、ワイヤレスアクセスインターフェースを介してデータを送信又は受信するための通信デバイスの相対的ケイパビリティをモバイル通信ネットワークに送信するように構成され、相対的ケイパビリティは、第１の帯域幅よりも大きいか又はそれに等しいホスト周波数範囲内で信号を受信するための少なくとも受信機の相対的帯域幅の標識を含む。モバイル通信デバイスは、通信デバイスが第１の仮想キャリア外の無線信号を受信することができることを識別する、デバイスの相対的ケイパビリティの標識に応答して、第１の仮想キャリア外の通信リソースの割当てを受信するように構成される。
【０００８】
本技法によれば、異なるケイパビリティの通信デバイスは、それらのケイパビリティに従って異なる周波数範囲内の通信リソースを割り当てられ得、それにより、最小帯域幅ケイパビリティをもつ通信デバイスがダウンリンク信号を受信するために通信リソースを受信する通信リソースの中央周波数上の輻輳が軽減され得る。この理由は、いくつかの例では、中央周波数が、同期信号及びセルパラメータなど、モバイル通信ネットワークを介して通信するためのシステム情報を受信することを必要とされ得る制御チャネルを含むからである。
【０００９】
将来において、低減ケイパビリティを有し、４Ｇ又はＬＴＥネットワークなどのモバイル通信ネットワークのホスト帯域幅よりも小さい仮想キャリア帯域幅内で通信することを必要とされ得る多くのデバイスがあり得ることが予想される。デバイスの数が比較的大きくなり得るときから、仮想キャリアを介して通信することを望む通信デバイスの数は、例えば、仮想キャリア内で提供される制御チャネル又は共有通信リソース上で輻輳を生成し得るので、技術的問題が存在する。
【００１０】
本開示の実施形態は、したがって、特に通信チャネルの容量に関して仮想キャリアにおいて生じ得る輻輳の量を低減することについての技術的問題に対処することを対象とする。本開示の実施形態によれば、仮想キャリアの容量は、通信デバイスがそれのケイパビリティをモバイルネットワークに通知する通信信号を通信デバイスと交換することができるワイヤレスアクセスインターフェースを提供することによって、増加され得る。このようにして、通信デバイスは、他の通信デバイスとは異なるケイパビリティを有し得、また低減帯域幅ケイパビリティモードに従って動作しているにもかかわらず、モバイル通信ネットワークによって提供される仮想キャリア外の無線信号を送信及び受信するためのケイパビリティをそれが有することを通信することが可能であり得る。したがって、通信デバイスが仮想キャリア外でモバイル通信ネットワークにデータを送信するか又はそれからデータを受信することが可能である場合、モバイルネットワークは、この通信デバイスのために仮想キャリア外の通信リソースを割り当て得る。
【００１１】
この本技法によれば、したがって、通信デバイスは、データを送信又は受信するための異なるケイパビリティに対応する異なるクラスに属するものとして判定され得る。ケイパビリティは、デバイスのケイパビリティに応じて、モバイル通信ネットワークがデバイスの相対的ケイパビリティに従ってワイヤレスアクセスインターフェースを介して通信するためのリソースを割り当て得るという趣旨で、送信機又は受信機の無線周波数帯域幅或いは送信機又は受信機のベースバンド帯域幅のうちの１つを含み得る。
【００１２】
本開示のさらなる態様及び特徴は、限定はしないが、モバイル通信デバイス、通信する方法、ネットワークインフラストラクチャ要素、通信ネットワーク、及びワイヤレスアクセスインターフェースを介して通信する方法を含む、添付の特許請求の範囲において定義される。
【００１３】
本開示の様々なさらなる態様及び実施形態は、限定はしないが、インフラストラクチャ機器、インフラストラクチャ機器、通信デバイス、及びモバイル通信ネットワーク要素からデータを受信する方法を含む、添付の特許請求の範囲において提供される。
【図面の簡単な説明】
【００１４】
次に、本開示の実施形態について、添付の図面を参照しながら例示のみとして説明し、ここにおいて、同様の部分は対応する参照番号とともに提供される。
【００１５】
【図１】従来のモバイル通信システムの一例を示す概略図を提供する。
【図２】従来のＬＴＥワイヤレスアクセスインターフェースの１０個のダウンリンクサブフレームのためのワイヤレスアクセスインターフェースのチャネルの配置を示す概略図を提供する。
【図３】従来のＬＴＥダウンリンク無線サブフレームを示す概略図を提供する。
【図４】ホストシステムの帯域幅よりも狭い帯域幅内の通信リソースを含む狭帯域仮想キャリアを提供するように配置されるＬＴＥダウンリンク無線サブフレームを示す概略図を提供する。
【図５】図４の狭帯域仮想キャリアの周波数範囲外にある周波数範囲からの通信リソースの割当てを行う狭帯域仮想キャリアを提供するように配置されるＬＴＥダウンリンク無線サブフレームを示す概略図を提供する。
【図６】狭帯域仮想キャリアを含む３つの可能な帯域幅のための狭帯域仮想キャリア外の通信リソースを割り当てることを含む、モバイル通信ネットワークによって提供されるワイヤレスアクセスインターフェースを示す、ＬＴＥダウンリンク無線サブフレームの概略図を提供する。
【図７】２つのクラスの通信デバイスのための通信リソースを割り当てることを含み、ダウンリンク制御チャネルを含む、モバイル通信ネットワークによって提供されるワイヤレスアクセスインターフェースを示す、ＬＴＥダウンリンク無線サブフレームの概略図を提供する。
【図８】本技法によるアタッチプロシージャ中のメッセージ交換を表す例示的な図である。
【図９】アグリゲートされ得る１次仮想キャリアと２次仮想キャリアとのための通信リソースを割り当てることを含む、モバイル通信ネットワークによって提供されるワイヤレスアクセスインターフェースを示す、ＬＴＥダウンリンク無線サブフレームの概略図を提供する。
【図１０】１次仮想キャリアのみのためにダウンリンク制御チャネルが提供される図９に示された例のためのモバイル通信ネットワークによって提供されるワイヤレスアクセスインターフェースのさらなる例を示す、ＬＴＥダウンリンク無線サブフレームの概略図を提供する。
【図１１】拡張帯域幅からの通信リソースを割り当てることを含み、これらのリソースが通信デバイスにとってアクセス可能である、モバイル通信ネットワークによって提供されるワイヤレスアクセスインターフェースのさらなる例を示す、ＬＴＥダウンリンク無線サブフレームの概略図を提供する。
【図１２】１次仮想キャリアと２次仮想キャリアとのための通信リソースを割り当てることを含む、モバイル通信ネットワークによって提供されるワイヤレスアクセスインターフェースのさらなる例を示す、ＬＴＥダウンリンク無線サブフレームの概略図を提供する。
【図１３】１次仮想キャリアと２次仮想キャリアとのための通信リソースを割り当てることを含み、１次仮想キャリアのみがダウンリンク制御チャネルリソースを含む、モバイル通信ネットワークによって提供されるワイヤレスアクセスインターフェースのさらなる例を示す、ＬＴＥダウンリンク無線サブフレームの概略図を提供する。
【図１４】本技法の一例によるモバイル通信システムの概略ブロック図である。
【図１５】本技法による通信デバイス（ＵＥ）の動作を示す流れ図である。
【図１６】本技法によるモバイル通信ネットワークの動作を示す流れ図である。
【発明を実施するための形態】
【００１６】
［例示的なネットワーク］
図１に、従来のモバイル通信システムの基本機能を示す概略図を提供する。
【００１７】
ネットワークは、コアネットワーク１０２に接続された複数の基地局１０１を含む。各基地局は、データが通信デバイス１０４との間でその内で通信され得るカバレージエリア１０３（即ちセル）を提供する。データは、無線ダウンリンクを介してカバレージエリア１０３内で基地局１０１から通信デバイス１０４に送信される。データは、無線アップリンクを介して通信デバイス１０４から基地局１０１に送信される。コアネットワーク１０２は、基地局１０４との間でデータをルーティングし、認証、モビリティ管理、課金などの機能を提供する。
【００１８】
モバイル通信システムを介してデータを送信又は受信することができる通信端末又は装置を指すために、通信デバイスという用語を使用することにする。モバイルであることもないこともあり得るパーソナルコンピューティング装置、リモート端末、送受信機デバイス又はユーザ機器（ＵＥ）など、通信デバイスのために他の用語を使用することもある。
【００１９】
３ＧＰＰ規定のＬＴＥ（Long  Term  Evolution）アーキテクチャに従って配置されたモバイル電気通信システムなど、モバイル電気通信システムは、無線ダウンリンク（いわゆるＯＦＤＭＡ）と無線アップリンク（いわゆるＳＣ−ＦＤＭＡ）とのために直交周波数分割多重（ＯＦＤＭ）ベースの無線アクセスインターフェースを使用する。データは、複数の直交サブキャリア上のアップリンクとダウンリンクとの上で送信される。図２に、ＯＦＤＭベースのＬＴＥダウンリンク無線フレーム２０１を示す概略図を示す。ＬＴＥダウンリンク無線フレームは、（拡張ノードＢとして知られる）ＬＴＥ基地局から送信され、１０ｍｓ持続する。ダウンリンク無線フレームは１０個のサブフレームを含み、各サブフレームは１ｍｓ持続する。周波数分割複信（ＦＤＤ）システムの場合、ＬＴＥフレームの１番目のサブフレーム及び６番目のサブフレーム中で１次同期信号（ＰＳＳ）及び２次同期信号（ＳＳＳ）が送信される。ＬＴＥフレームの１番目のサブフレーム中では、物理ブロードキャストチャネル（ＰＢＣＨ）が送信される。ＰＳＳ、ＳＳＳ及びＰＢＣＨについては以下でより詳細に説明する。
【００２０】
図３に、従来のダウンリンクＬＴＥサブフレームの一例の構造を示すグリッドを提供する概略図を提供する。サブフレームは、１ｍｓ期間にわたって送信される、所定の数のシンボルを含む。各シンボルは、ダウンリンク無線キャリアの帯域幅にわたって配信される、所定の数の直交サブキャリアを含む。
【００２１】
図３に示された例示的なサブフレームは、１４個のシンボルと、２０ＭＨｚ帯域幅にわたって離間された１２００個のサブキャリアとを含む。ＬＴＥにおいてデータがその上で送信され得る最も小さいユニットは、１つのサブフレームにわたって送信される１２個のサブキャリアである。明快のために、図３では、各個々のリソース要素は図示されておらず、代わりに、サブフレームグリッド中の各個々のボックスが、１つのシンボル上で送信される１２個のサブキャリアに対応する。
【００２２】
図３は、４つのＬＴＥデバイス３４０、３４１、３４２、３４３のためのリソース割当てを示している。例えば、第１のＬＴＥ端末（ＵＥ１）のためのリソース割当て３４２は１２個のサブキャリアの５つのブロックにわたり、第２のＬＴＥ端末（ＵＥ２）のためのリソース割当て３４３は１２個のサブキャリアの６つのブロックにわたり、以下同様である。
【００２３】
制御チャネルデータは、サブフレームの最初のｎ個のシンボルを含むサブフレームの制御領域３００中で送信され、ただし、ｎは、３ＭＨｚ以上のチャネル帯域幅の場合は１つのシンボルと３つのシンボルとの間で変化することができ、及びｎは、１．４ＭＨｚのチャネル帯域幅の場合は２つのシンボルと４つのシンボルとの間で変化することができる。制御領域３００中で送信されるデータは、物理ダウンリンク制御チャネル（ＰＤＣＣＨ）と、物理制御フォーマットインジケータチャネル（ＰＣＦＩＣＨ）と、物理ＨＡＲＱインジケータチャネル（ＰＨＩＣＨ）との上で送信されるデータを含む。
【００２４】
ＰＤＣＣＨは、特定のＬＴＥデバイスにサブフレームのどのシンボル上のどのサブキャリアが割り当てられているかを標識する制御データを含んでいる。したがって、図３に示されたサブフレームの制御領域３００中で送信されるＰＤＣＣＨデータは、ＵＥ１がリソース３４２の１番目のブロックを割り当てられていること、ＵＥ２がリソース３４３の２番目のブロックを割り当てられていることなどを標識し得る。それが送信されるサブフレーム中では、ＰＣＦＩＣＨは、（即ち１つのシンボルと４つのシンボルとの間の）そのサブフレーム中の制御領域の持続時間を標識する制御データを含んでおり、ＰＨＩＣＨは、前に送信されたアップリンクデータがネットワークによって正常に受信されたか否かを標識するＨＡＲＱ（ハイブリッド自動要求）データを含んでいる。
【００２５】
いくつかのサブフレーム中では、サブフレームの中央帯域３１０中のシンボルは、１次同期信号（ＰＳＳ）と２次同期信号（ＳＳＳ）と物理ブロードキャストチャネル（ＰＢＣＨ）とを含む情報の送信のために使用される。この中央帯域３１０は、典型的には、（１．０８ＭＨｚの送信帯域幅に対応する）７２個のサブキャリア幅である。ＰＳＳ及びＳＳＳは、検出されると、ＬＴＥデバイス１０４が、フレーム同期化を達成し、ダウンリンク信号を送信している拡張ノードＢのセル識別情報を判定することを可能にする同期信号である。ＰＢＣＨは、ＬＴＥデバイスがセルにアクセスするために要するパラメータを含むマスタ情報ブロック（ＭＩＢ）を含む、セルに関する情報を搬送する。物理ダウンリンク共有チャネル（ＰＤＳＣＨ）上で個々のＬＴＥデバイスに送信されるデータは、サブフレームの通信リソース要素の残りのブロック中で送信され得る。これらのチャネルについてのさらなる説明は以下のセクションで提供される。
【００２６】
図３はまた、システム情報を含んでおりＲ３４４の帯域幅にわたるＰＤＳＣＨの領域を示している。このようにして図３では、中央周波数は、ＰＳＳ、ＳＳＳ及びＰＢＣＨなどの制御チャネルを搬送し、したがって、通信デバイスの受信機の最小帯域幅を暗示する。
【００２７】
ＬＴＥチャネル中のサブキャリアの数は、送信ネットワークの構成に応じて変化することができる。典型的には、この変化は、図３に示されているように、１．４ＭＨｚチャネル帯域幅内に含まれている７２個のサブキャリアから、２０ＭＨｚチャネル帯域幅内に含まれている１２００個のサブキャリアまでである。当技術分野で知られているように、ＰＤＣＣＨ、ＰＣＦＩＣＨ及びＰＨＩＣＨ上で送信されるデータを搬送するサブキャリアは、典型的には、サブフレームの帯域幅全体にわたって配信される。したがって、従来のＬＴＥデバイスは、制御領域を受信し及び復号するために、サブフレームの帯域幅全体を受信することが可能でなければならない。
【００２８】
［仮想キャリア］
ＭＴＣデバイス（例えば、上記で説明したスマートメーターなどの半自律的な又は自律的なワイヤレス通信デバイス）など、いくつかのクラスのデバイスは、比較的低頻度の間隔での少量のデータの送信によって特徴づけられる通信アプリケーションをサポートし、したがって、従来のＬＴＥデバイスよりもかなり複雑でなくなり得る。通信デバイスは、全キャリア帯域幅にわたってＬＴＥダウンリンクフレームからデータを受信し及び処理することが可能な高性能なＬＴＥ受信機ユニットを含み得る。しかしながら、そのような受信機ユニットは、少量のデータを送信するか又は受信する必要のみがあるデバイスにとって、過度に複雑であり得る。したがって、これは、ＬＴＥネットワークにおける低減ケイパビリティＭＴＣタイプデバイスの広範な展開の実用性を制限し得る。代わりに、デバイスに送信される可能性のあるデータの量により釣り合ったより単純な受信機ユニットをもつＭＴＣデバイスなどの低減ケイパビリティデバイスを提供することが好ましい。更に、上記で説明したように、モバイル通信ネットワーク及び／又は通信デバイス中に、通信デバイスの電力消費量を節約することができる特徴を含めることが望ましい。
【００２９】
従来のモバイル電気通信ネットワークでは、データは、典型的には、ネットワークから通信デバイスに周波数キャリア（第１の周波数範囲）中で送信され、ここで、データの少なくとも一部分は、実質的に周波数キャリアの帯域幅の全体に及ぶ。通常、通信デバイスは、周波数キャリア全体、即ち、所与の電気通信規格によって定義される最大システム帯域幅に及ぶデータを受信し及び復号することができない限り、通信デバイスはネットワーク内で動作することができず、したがって、低減帯域幅ケイパビリティ送受信機ユニットをもつ通信デバイスの使用は妨げられる。
【００３０】
しかしながら、参照によりそれらの内容が本明細書に組み込まれる、ＰＣＴ／ＧＢ２０１２／０５０２１３、ＰＣＴ／ＧＢ２０１２／０５０２１４、ＰＣＴ／ＧＢ２０１２／０５０２２３及びＰＣＴ／ＧＢ２０１２／０５１３２６と番号付けされた同時係属国際特許出願に開示されているように、従来のキャリア（「ホストキャリア」）を含む通信リソース要素のサブセットは「仮想キャリア」として定義され、ここで、ホストキャリアはある帯域幅（ホスト周波数帯域幅）を有し、仮想キャリアは、ホストキャリアの帯域幅と比較して低減帯域幅（仮想キャリア周波数帯域幅）を有する。低減ケイパビリティデバイスのためのデータは通信リソース要素の仮想キャリアセット上で別個に送信される。したがって、仮想キャリア上で送信されるデータは、複雑さが低減した又は低減ケイパビリティの送受信機ユニットを使用して受信され及び復号され得る。
【００３１】
複雑さが低減した又は低減ケイパビリティの送受信機ユニットを伴って提供されるデバイス（以下、「低減ケイパビリティデバイス」と呼ぶ）は、それの全ケイパビリティの一部分（即ち、それの全ケイパビリティの低減ケイパビリティセット）を使用することによって動作するか、又はそれらは、従来のＬＴＥタイプデバイス（以後、ＬＴＥデバイスと総称する）よりも複雑でなく費用がかからないように構築され得る。したがって、仮想キャリアのプロビジョンにより、あまり費用がかからず複雑でない送受信機ユニットをもつ通信デバイスが使用されることが可能になるので、ＬＴＥタイプネットワーク内のＭＴＣタイプアプリケーションのためのそのようなデバイスの展開はより魅力的になり得る。
【００３２】
［様々なケイパビリティ受信機へのリソースの動的割当て］
本技法の実施形態は、モバイル通信ネットワークが、低減ケイパビリティデバイスのための仮想キャリアを形成する、あるコア周波数範囲外にある通信リソースを割り当てるように構成される配置を提供することができる。しかしながら、本技法によれば、様々なクラスのモバイル通信デバイスは、モバイル通信ネットワークを使用して通信するように構成される。上記で説明したように、１つ以上のネットワーク要素を含むモバイル通信ネットワークは、通信デバイスのためのワイヤレスアクセスインターフェースを提供する。ワイヤレスアクセスインターフェースは、ホスト周波数範囲にわたって複数の通信リソース要素を提供し、及びホスト周波数帯域内の第１の周波数帯域内で低減ケイパビリティデバイスのための仮想キャリアを形成する周波数リソースの少なくとも１つのセクションを提供する。仮想キャリアは、第１の周波数帯域内で送信又は受信される信号を受信するための通信デバイスへの好ましい割当てのために複数の通信リソースを提供する。
【００３３】
本技法によれば、通信デバイスは、ワイヤレスアクセスインターフェースを介してデータを送信又は受信するための通信デバイスの相対的ケイパビリティをモバイル通信ネットワークに送信するように構成され、この相対的ケイパビリティは少なくとも受信機の帯域幅の標識を含む。モバイル通信ネットワークは、デバイスの相対的ケイパビリティが、仮想キャリアの周波数範囲外にある通信リソース中でデバイスがワイヤレスアクセスインターフェースを介して受信又は送信することができるというものである、という標識に応答して、第１の仮想キャリア外の通信リソースを割り当てることによって応答する。
【００３４】
したがって、本技法の実施形態は、通信デバイスが、それの複雑さ及びケイパビリティ、データレートなどに従って、ホストシステムの全帯域幅よりも小さいがおそらく通信デバイスごとに異なるサポート仮想キャリア帯域幅を選択することができる配置を提供するように構成される。ネットワーク側から、ｅノードＢなどのインフラストラクチャ要素は、通信端末からシグナリングされるサポートされる帯域幅に従って、広システム帯域幅内の通信リソースを割り当てるように配置され得る。したがって、本技法は、通信デバイスが以下を行うことができるようにこれらのデバイスのためのサポート帯域幅のフレキシブルな選択を提供することができる。
・  ＭＴＣデバイスに対してホストキャリアにおけるＰＳＳ／ＳＳＳ／ＰＢＣＨの再利用を可能にする
・  中央周波数上の輻輳を低減するように、中央周波数外でＭＴＣデバイスに、より多くのリソースを提供する、
・  サポートされるＲＦ／ベースバンド帯域幅（仮想キャリア配置の基本メリット）を低減することによって、レガシー通信デバイスと比較してＭＴＣデバイスのコストを低減する
【００３５】
図４に、図３に示された図解に対応するが、ワイヤレスアクセスインターフェースの中央周波数を形成する仮想キャリアを伴い、サブフレームが、垂直線５０１によって定められる２つのタイムスロットを含む、例示的な図解を提供する。図４から分かるように、仮想キャリア５０２上で送信されるデータは、限られた帯域幅にわたって送信される。これは、例えば２０ＭＨｚであるホストキャリアの帯域幅よりも小さいという条件で、任意の好適な帯域幅であり得る。図４に示された例では、仮想キャリアは、１．４ＭＨｚ送信帯域幅と等価である、リソースブロックとサブキャリアとを含む帯域幅にわたって送信される。したがって、仮想キャリア上で送信されたデータを受信するデバイスは、１．４ＭＨｚの帯域幅上で送信されるデータを受信し及び処理することが可能な受信機を装備する必要のみがある。これにより、低減ケイパビリティデバイス（例えばＭＴＣタイプデバイス）は、簡略化された受信機ユニットを備えることが可能になり、それでもなお、ＯＦＤＭ信号の帯域幅全体にわたってその信号を受信し及び処理することが可能な受信機をデバイスが装備することを従来では要した上述したようなＯＦＤＭタイプ通信ネットワーク内で動作することができる。従来のＬＴＥダウンリンクサブフレームに合わせて、最初のｎ個のシンボル（ｎは図４では３である）が、ＰＤＣＣＨ上で送信されるデータなどのダウンリンク制御データの送信のために予約された制御領域３００を形成する。
【００３６】
上記で説明したように、中央周波数は、ホストキャリア内に仮想キャリアを割り当てるための有利なロケーションであり得る。この理由は、１次同期信号及び２次同期信号（ＰＳＳ／ＳＳＳ）並びに物理ブロードキャストチャネル（ＰＢＣＨ）が中央周波数に位置し、したがってＭＴＣ通信デバイスによってより容易に収集され得、ＭＴＣ通信デバイスは、仮想キャリアのみを受信することができ、したがってこれらのＰＳＳ／ＳＳＳ／ＰＢＣＨチャネルを再利用することができるからである。しかしながら、ＭＴＣデバイスが、中央周波数を占有する仮想キャリアからのリソースのみを割り当てられ得る場合、それらの中央周波数のリソースは輻輳することになり得る。したがって、本技法は、デバイスのケイパビリティに従ってホストキャリアワイヤレスアクセスインターフェースの他の部分からのリソースを割り当てるための配置を提供することができる。そのようなＭＴＣデバイスは、依然として仮想キャリアモードで動作して、ＭＴＣタイプデバイスへの割当てのために予約されるか又は予め決定されるリソースの割当てを受信しているであろう。
【００３７】
上記で説明したように、本技法の実施形態は、通信デバイスに割り当てられ得る共有リソースの帯域幅を増加させるために提供されており、これらの通信デバイスは、全ケイパビリティよりも小さいことがある様々なケイパビリティを有し得、したがって、これらのデバイスは所定の周波数範囲内で通信することができるが、それらはホストシステムの全帯域幅を介して通信することができない。したがって、図４に示された図に対応する図５に示されているように、図４に示された仮想キャリア５０２の仮想キャリア帯域幅よりも大きい周波数帯域幅内で通信することができるデバイスのクラスのための低減ケイパビリティデバイスへの割当てのために、ワイヤレスアクセスインターフェースのホスト帯域幅よりも小さい別個の周波数範囲６００が提供される。このようにして、図５に示されているように、ＳＳ／ＰＢＣＨ６０４とともに仮想キャリア制御チャネルＶＣ−ＰＤＣＣＨ６０２が提供され、ＳＳ／ＰＢＣＨ６０４は、図３及び図４に示された例に対応するが、図４の仮想キャリア帯域幅５３０外にある周波数において通信することができる通信デバイスにとって利用可能である。
【００３８】
本技法の実施形態は、したがって、いくつかの例では、通信デバイスごとにフレキシブルに変更される帯域幅をサポートすることを伴う、ホストシステム帯域幅よりも狭い、より広い帯域幅仮想キャリアと見なされ得る。更に、ブロードキャスト情報及び制御情報（ＶＣ−ＰＤＣＣＨ）など、すべてのＶＣ  ＵＥを対象とする共通情報は、すべてのＶＣ  ＵＥがそれらを受信することが可能であるように、できる限り狭い帯域幅において送られなければならない。
【００３９】
本技法の例示的な実施形態が図６に示されており、ここでは、図４及び図５に示されたワイヤレスアクセスインターフェースに対応するワイヤレスアクセスインターフェースが示されているが、３つのクラスの通信端末がモバイル通信ネットワーク内で動作している動作を示す。図６に示されているように、図５に示された仮想キャリア５３０には、仮想キャリアの周波数帯域幅内でのみ通信することができる通信端末のために提供される仮想キャリア制御チャネル６０２及びＳＳ／ＢＰＣＨ６０４がワイヤレスアクセスインターフェースによって提供される。このようにして、第１のクラス（クラスＡ）の低減ケイパビリティ端末は、共有チャネル上のリソースの割当てについての要求を送信し、それらは、ＶＣ−ＰＤＣＣＨ６０２内で通信デバイスに割り当てるためにダウンリンク上で通信され、通信リソース７０２、７０４中の仮想キャリア帯域幅５３０内のそれらの共有リソースを割り当てられる。中央領域は、これは上述の他の制御チャネル（ＳＳ／ＰＢＣＨ）をも含むので、サポートされ得る最も低い利用可能な帯域幅を提供する。
【００４０】
本技法によれば、クラスＡのための仮想キャリア５３０の最も小さい帯域幅内でのみ通信することができるクラスＡ以外の他のクラスの通信端末がある。図６に示されているように、２つの他のクラス、クラスＢ及びクラスＣが図示されており、これらは、２つのより広い帯域幅７３２、７３４内の通信リソース内で通信することが可能である。このようにして、クラスＢデバイスの帯域幅７３２内で、通信リソースは、２番目に大きい帯域幅７３２内でクラスＢデバイスに割り当てられる。それに応じて、クラスＢ帯域幅７３２は、周波数帯域７４０内でクラスＢデバイスに共有通信リソースを提供するために、仮想キャリア帯域幅５３０の拡張部内の好ましい割当てのために、通信リソースの予約済みセットを提供する。したがって、通信デバイスは２番目に大きい帯域幅７３２内で通信することが可能である。同様に、クラスＢ及びクラスＡデバイス７３４よりも大きい帯域幅内から信号を受信することが可能であるクラスＣデバイスについては、ワイヤレスアクセスインターフェース７４２のセクション内の通信リソースの別個の帯域が提供され、それらはモバイル通信ネットワークによってクラスＣ通信デバイスに割り当てられる。このようにして、クラスＣデバイスは、ダウンリンク通信リソースを要求し得、仮想キャリアダウンリンク制御チャネルＶＣ−ＰＤＣＣＨ６０２から制御チャネル信号を受信することによってダウンリンク通信リソースを割り当てられ得る。ダウンリンク制御チャネルＶＣ−ＰＤＣＣＨ６０２は、クラスＣデバイスのために帯域幅７３４内のダウンリンク通信リソースを割り当て得、帯域幅７３４は、クラスＣデバイス７４２のために別個の共有通信リソースＶＣ−ＰＤＳＣＨを含み得、第２のクラスＢ共有チャネル７４０並びにクラスＡチャネル５３０内の通信リソースをも含み得る。
【００４１】
相応に、図６に与えられる例から了解されるように、様々なクラスのデバイスがあり、各クラスは、そのデバイスが通信リソースを送信するか又は受信することができる帯域幅を表し、したがって、モバイルネットワークは、デバイスのクラスとそのクラス内のデバイスの能力とに対応する通信リソースを割り当てて、仮想キャリアとは異なる帯域幅からダウンリンク通信を受信する。このようにして、図６に示された例によれば、クラスＡの通信デバイス（クラスＡ  ＵＥ）は最小のケイパビリティを有し、１．４ＭＨｚのみをサポートする。ｅノードＢがこのデバイス（ＵＥ  Ａ）にデータを送るとき、ｅノードＢは、それに割り当てられたリソースが中央１．４ＭＨｚ内にあることを確認する。対照的に、クラスＢからのデバイス（ＵＥ  Ｂ）は、３ＭＨｚよりも大きい帯域幅をサポートし得、その場合、ｅノードＢは、このデバイスに３ＭＨｚ幅のリソースを割り当てることができる。一例では、ＶＣ−ＰＤＣＣＨ６０２の帯域幅は、仮想キャリアシステムの下で動作するすべてのクラスのデバイスによって受信可能である必要があり、したがって、ＭＴＣタイプデバイスがサポートする必要がある最も狭い最大帯域幅（上記の場合は１．４ＭＨｚである）に制限される必要があり、こうして、すべてのＭＴＣデバイスがこの共通情報を適切に受信することができる。
【００４２】
本技法の他の例示的な実施形態では、通信デバイスに共有チャネルの通信リソースを割り当てるためのダウンリンク制御チャネルはいわゆる拡張ダウンリンク制御チャネル又はｅＰＤＣＣＨ様の設計であり、この設計が仮想キャリア配置に適用される（ＶＣ−ＰＤＣＣＨ）。そのような実施形態は、すべてのクラスのデバイスによって読み取られる必要がある共通制御情報（ＶＣ−ＰＤＣＣＨ）が本質的に狭帯域幅であるで、利点を有し得る。
【００４３】
さらなる例が図７に示されている。図７では、２つのクラスのデバイスが、第１及び第２の周波数帯域８０２、８０４を介して通信することが可能であるものとして識別される。しかしながら、ＶＣ−ＰＤＣＣＨ６０２中でリソース割当てメッセージを通信することによってダウンリンクリソースが割り当てられる図６に示された例とは異なり、図７に示された例は、別個の帯域幅８０６内に設けられ、実質的にホストキャリア３００のダウンリンク制御チャネルから、ワイヤレスアクセスインターフェースの２つの例示的なフレーム５０４、５０６にわたって延在する、いわゆる拡張ダウンリンク制御チャネルｅＰＤＣＣＨを提供する。この拡張ダウンリンク制御チャネル（ｅＰＤＣＣＨ）は、時間では狭いが周波数では広いホストＰＤＣＣＨとは対照的に、周波数では狭いが時間では広い通信リソースを割り当てるために提供される。第２のクラスの通信デバイス、クラスＢは、ホスト通信帯域幅８１０内のより広い帯域幅８０４において割り当てることが可能であり、したがって、拡張領域８１２内の共有チャネルリソース（（ＵＥ  Ｂのための）ＶＣ−ＰＤＳＣＨ）を割り当てられ得る。対照的に、クラスＡデバイスは、クラスＡデバイスによって提供される共有リソース８１８内のクラスＡ帯域幅８０２内の共有通信リソースのみを割り当てられ得る。したがって、図７に示された例では、ダウンリンク制御メッセージはｅＰＤＣＣＨ８０６によって通信され、ｅＰＤＣＣＨ８０６は、狭帯域幅周波数を占有するが、クラスＡ通信デバイスとクラスＢ通信デバイスの両方にダウンリンク制御チャネルメッセージを通信するための共有チャネルリソースによって通常ならば占有される１つのサブフレーム（２つのスロット）の持続時間全体を占有する。この例では、クラスＡデバイス及びクラスＢデバイスは、２つの異なる帯域幅８０２、８０４内に共有チャネル通信リソースを割る振るためのダウンリンク制御リンクメッセージをｅＰＤＣＣＨ８０６から受信することができる。このようにして、クラスＡデバイスは、共有リソース８１８内にあるより小さい帯域幅８０２内で帯域幅割当てを受信し、一方、クラスＢデバイスもｅＰＤＣＣＨ８０６からダウンリンク制御チャネルリソース割当てメッセージを受信するが、これらのクラスＢデバイスは、クラスＡ帯域幅８１８とクラスＢ帯域幅８１２の両方内のダウンリンク通信のための通信リソースを割り当てられ得る。
【００４４】
本技法に従って動作する通信デバイス（ＵＥ）は、通信デバイスが低減ケイパビリティデバイスの複数のクラスのうちのどのクラスに属するかを識別するために、情報をモバイル通信ネットワークと交換するように配置される。上記のように、上記の３つのクラス、クラスＡ、クラスＢ、クラスＣの場合、各クラスは、通信デバイスが例えばその内の共有リソース内でダウンリンク通信信号を受信することができる、所定の帯域幅に対応する。したがって、本技法によれば、通信デバイスは、デバイスがどのクラスに属するかを識別するために、メッセージをモバイル通信ネットワークと交換する。メッセージは、少なくとも通信デバイスがダウンリンク信号をその内で受信することができる通信デバイスの帯域幅を識別し、したがって、通信デバイスは、その帯域幅内のダウンリンク共有リソースを割り当てられ得る。通信デバイスが、デバイスがどのクラスに属するかを確定するためにモバイルネットワークからメッセージを送信及び受信する、例示的な配置が図８に示されている。
【００４５】
図８では、ステップ１において、通信デバイスが、ワイヤレスアクセスインターフェースの通信リソースにアクセスするようにとの要求を送信する。例えば、通信リソースにアクセスするようにとの要求は、通信デバイスが最初に電源投入し、ｅノードＢであり得る特定の基地局と提携されることによってモバイルネットワークにアタッチする、アタッチプロシージャであり得る。したがって、ステップ１において、通信リソースにアクセスするようにとの要求は基地局ｅノードＢに送られる。応答して、モバイルネットワークは、ステップ２において、通信デバイスのケイパビリティを識別するようにとの要求を通信する。ステップ３において、モバイル通信デバイスは、応答して、通信デバイスがどのクラスに属するかを標識する。例えば、これは、通信デバイスがクラスのどれに属するかを識別するフィールドを含み得る、モバイル通信ネットワークへのアタッチプロシージャの一部として送られるメッセージ中のフィールドであることがある。応答して、ｅノードＢは、ステップ４において、デバイスのクラスからのそのデバイスのケイパビリティに対応する通信デバイス（ＵＥ）に割り当てられたリソースを通信することによって通信リソースを許可する。
【００４６】
［１次仮想キャリア及び２次仮想キャリアの例］
本技法の実施形態のさらなる例が図９〜図１３に関して示されており、ここで、ワイヤレスアクセスインターフェースは少なくともホストキャリア内の１次仮想キャリアと２次仮想キャリアとを備える。図９は、図５に示された例に対応するそのような状況の図解を提供する。ただし、図９に示された例からは、２つの仮想キャリアが、通信デバイス９００にとって利用可能な最大帯域幅内に提供されている。したがって、図１１に示されているように、ホストキャリア３００のためのダウンリンク制御チャネルの横に、２つの仮想キャリア９０２、９０４が提供され、その中において、各々には、第１のダウンリンク共有仮想キャリアＶＣ−ＰＤＳＣＨ９１０内のダウンリンク共有リソースを割り当てるリソース割当てメッセージを通信デバイスに通信するための別個のダウンリンク制御チャネル９０６、９０８が提供される。第１のダウンリンク共有仮想キャリアＶＣ−ＰＤＳＣＨ９１０は、低減ケイパビリティデバイスへの好ましい割当てのための通信リソースの第１のセットをもつ１次共有リソースである。また、図９の例示的な実施形態では、第２の仮想キャリア９０４内の２次共有リソース９１２が示されている。したがって、図９に示された配置は、２つの仮想キャリアが存在し、モバイル通信ネットワークによってホストされる例を提供し、それは、中央周波数外でサポートされ、中央制御チャネルＰＳＳ／ＳＳＳ／ＰＢＣＨなしに１次仮想キャリアと同等に構成され得るが、１次仮想キャリアからのＶＣ−ＰＤＣＣＨを含む。したがって、本技法の実施形態は、より多くのリソースがＭＴＣタイプデバイスのために割り当てられる配置を提供し、したがって、それによって、仮想キャリアアグリゲーションを使用して中央周波数又は１次仮想キャリア上の輻輳が低減され得る。この理由は、最大帯域幅９００を有する通信デバイスが仮想キャリア９０２、９０４のいずれをも使用することができるからである。
【００４７】
本技法の実施形態はまた、最大サポート帯域幅が（端末に関係する最高周波数−端末に関係する最低周波数）に低減され得るので、従来の全帯域幅デバイスと比較して様々なクラスのＭＴＣタイプデバイスのコストを低減することによって利点を提供することができる。この利点は、特に、ネットワーク事業者とデバイス製造業者が、そのような帯域幅が割り当てられることを保証するために協働することができる場合に当てはまる。
【００４８】
了解されるように、図９に示された配置は、第２の仮想キャリア９０４のための共有チャネル内のリソースを割り当てるために別個のダウンリンク制御チャネルを提供するが、共有チャネルリソースに関してリソース割当てメッセージを通信するための制御チャネルに対する通信リソースの残りは、第２の仮想キャリア９０４の第２のダウンリンク共有チャネル９０８において一部の容量が十分に利用されないことがあることを意味する。したがって、第２の仮想キャリア９０４が別個のダウンリンク制御チャネル９０８を含まない代替配置が図１０に示されている。この例では、したがって、１次仮想キャリア９０２のダウンリンク制御チャネル（ＶＣ−ＰＤＣＣＨ１００６）は、矢印９５０、９５２によって示されるように動作帯域幅９００をもつ通信デバイスに共有リソースを割り当てるように配置される。このようにして、図９に示された例とは対照的に、仮想キャリアのアグリゲートされた配置が提供され、ここでは、１次仮想キャリア９０２の中央周波数上に設けられたダウンリンク制御チャネル１００６が、１次仮想キャリア９０２と２次仮想キャリア９０４の両方において共有される通信リソースを割り当て、これらの共有された通信リソースが、領域９５４、９５６を含む低減ケイパビリティデバイスのための合成共有チャネルリソースを形成する。図１０に示された例によれば、ＰＳＳ／ＳＳＳ／ＰＢＣＨ制御チャネルだけでなく、共有チャネルリソースを割り当てるためのダウンリンク制御チャネル（ＶＣ−ＰＤＣＣＨ）も１次仮想キャリア中に設けられる。これは、よりフレキシブルで効率的なリソース割当てを可能にし得る。
【００４９】
２次仮想キャリア９５０、９６０が１次仮想キャリアに近接するか又はそれに連続する中央領域内に割り当てられることを除いて図１０に示された例に対応する、さらなる例が図１１に示されている。この例示的な実施形態によれば、通信リソースは、図１０に示されたものと比較してより低い動作帯域幅９８０をもつ通信デバイスに割り当てられ得る。図１１に示された例から了解されるように、動作帯域幅９８０をもつ通信デバイスは、２次帯域幅９５０又は１次仮想キャリア９０２である中央帯域幅中の仮想キャリアのそれを下回る２次帯域幅９６０からの共有チャネルリソースを割り当てられ得る。したがって、図１１に示された配置は何らかの追加のフレキシビリティを提供する。この理由は、ワイヤレス通信帯域幅からこの配置を提供することによって、２次仮想キャリアリソースのロケーションが、ＶＣ帯域幅ｘ（ｎ＋１）に要する通信デバイスの最大サポート帯域幅を低減することができるからであり、ただし、ｎは、通信デバイスがサポートすることができる連続設置される２次仮想キャリアの数である。
【００５０】
本技法のさらなる例が図１２及び図１３に示されている。図１２及び図１３では、第１の仮想キャリア１０００及び２次仮想キャリア１００１が提供され、それらにおいて各々は、狭帯域だがワイドな持続時間のダウンリンク制御チャネル１００２、１００４（ＶＣ−ＰＤＣＣＨ）と、動作帯域幅１００６、１００８、１０１０、１０１２の残りの部分内の共有チャネルリソース（ＶＣ−ＰＤＳＣＨ）とを有する。このようにして、図１２に示された例では、２つの別個の仮想キャリアが提供され、それらの各々は、１次仮想キャリア１０００又は２次仮想キャリア１００１内で通信することが可能である通信端末にダウンリンクリソース割当てメッセージを通信するいわゆる拡張ダウンリンク制御チャネルＶＣ−ｅＰＤＣＣＨを有する。ただし、ここでも図１０及び図１１を参照しながら示された例から、共有チャネルリソースの容量と比較してダウンリンク制御チャネルリソースの過剰容量があり得る。したがって、図１３では、２次仮想キャリア１１００は共有チャネルリソース（ＶＣ−ＰＤＳＣＨ）のみを含んでいるが１次仮想キャリア１０００は実質的に図１２に示された例に対応するように、２次仮想キャリア１００１は、２次仮想キャリアのダウンリンク制御チャネル１００４を削除するように適応されている。再び、この例によれば、１次仮想キャリア１０００、１００２中のダウンリンクリソースのためのリソース割当てメッセージを割り当てられるダウンリンク制御チャネルは、矢印１００４、１００６として示されるリソース割当てによって示されるように、２次仮想キャリア１１００内のリソースを又は１次仮想キャリア１０００内の残りの共有チャネルリソースを割り当てる。したがって、１１００からの２次仮想キャリアから拡張ダウンリンク共有チャネルを削除することによる、ダウンリンク制御チャネルリソースに与えられる容量の相対的低減と、共有チャネルリソースの増加とがあるので、ワイヤレスアクセスインターフェースのリソースが使用される効率の改善がある。
【００５１】
［例示的なモバイル通信システム］
図１４に、適応されたＬＴＥモバイル通信システムの一部分を示す概略図を提供する。このシステムは、カバレージエリア（即ちセル）１４０４内で複数の従来のＬＴＥデバイス１４０２と低減ケイパビリティデバイス１４０３とにデータを通信するコアネットワーク１４０８に接続された、適応された拡張ノードＢ（ｅＮＢ）１４０１を含む。低減ケイパビリティデバイス１４０３の各々は、従来のＬＴＥデバイス１４０２中に含まれる送受信機ユニット１４０６のケイパビリティと比較したとき、低減帯域幅にわたってデータを受信することが可能な受信機ユニットと、低減帯域幅（又はｅＮＢ１４０１によってサポートされるアップリンクキャリアの全帯域幅）にわたってデータを送信することが可能な送信機ユニットとを含む送受信機ユニット１４０５を有する。
【００５２】
適応されたｅノードＢ１４０１は、例えば図４〜図１３を参照しながら上記で説明したように、仮想キャリアを含むサブフレーム構造を使用してダウンリンクデータを送信するように配置される。送信機及び受信機ユニット１４０９は、適応されたスケジューラの機能をも実行するコントローラ１４１１の制御下でワイヤレスアクセスインターフェースを形成する。低減ケイパビリティデバイス１４０３は、このようにして、上記で説明したようにアップリンク及び／又はダウンリンク仮想キャリアを使用してデータを受信及び送信することが可能であり、異なるクラスのデバイスを備えるものとして見なされ得る。各クラスは、仮想キャリア又は概念的に拡張された仮想キャリア外のリソースを割り当てるための配置を提供することができる異なる帯域幅ケイパビリティを有し得る。
【００５３】
上記で説明したように、複雑さが低減したデバイス１４０３は、低減帯域幅のダウンリンク仮想キャリアにわたってデータを受信するので、ダウンリンクデータを受信し及び復号するために必要とされ、並びにアップリンクデータを符号化し及び送信するために必要とされる送受信機ユニット１４０５の複雑さ、電力消費量及びコストは、従来のＬＴＥデバイス中に設けられる送受信機ユニット１４０６と比較して低減される。
【００５４】
セル１４０４内のデバイスのうちの１つに送信されるべきダウンリンクデータをコアネットワーク１４０８から受信すると、適応されたｅノードＢ１４０１は、データが従来のＬＴＥデバイス１４０２宛てであるか低減ケイパビリティデバイス１４０３宛てであるかを判定するように配置される。これは任意の好適な技法を使用して達成され得る。例えば、低減ケイパビリティデバイス１４０３宛てのデータは、データがダウンリンク仮想キャリア上で送信されなければならないことを標識する仮想キャリアフラグを含み得る。適応されたｅノードＢ１４０１は、ダウンリンクデータが低減ケイパビリティデバイス１４０３に送信されるべきであることを検出した場合、適応されたｅノードＢ１４０１中に含まれるコントローラ１４１１は、ダウンリンクデータが当該の低減ケイパビリティデバイスにダウンリンク仮想キャリア上で送信されることを保証する。別の例では、ネットワークは、仮想キャリアがｅノードＢに論理的に依存しないように配置される。より詳細には、仮想キャリアは、コアネットワークには別個のセルのように見えるように配置され得る。コアネットワークの観点からすると、仮想キャリアがセルのホストキャリアと物理的にコロケートされるか又は何らかの相互作用を有することは知得されない。パケットは、それらがちょうどいずれかの通常のセルへのものであるかのように、仮想キャリアに／からルーティングされる。
【００５５】
本技法による通信デバイスの動作が図１５の流れ図によって要約されており、それは以下のように要約される。
【００５６】
Ｓ１：  通信デバイスは、その通信デバイスが複数のクラスのうちのどれに属するかを判定する。各クラスは、少なくともデバイスの送信機又は受信機の異なる帯域幅ケイパビリティを表す。デバイスへのクラスの割当ては、初期アタッチプロシージャ中にネットワークによって決定されるか、又はネットワーク事業者によって予め決定されデバイスに事前記憶され得る。
【００５７】
Ｓ２：  通信デバイスは、モバイルアクセスネットワークによって提供されるワイヤレスアクセスインターフェースを介してデータを受信するための通信デバイスの相対的ケイパビリティをモバイル通信ネットワークに送信する。デバイスの割り当てられたクラスによる相対的ケイパビリティは、少なくとも通信デバイスの帯域幅の標識を含む。
【００５８】
Ｓ４：  通信デバイスは、通信デバイスの所定のクラスに対応する帯域幅内の共有通信リソースを割り当てるリソース割当てメッセージをモバイル通信ネットワークから受信する。割り当てられるリソースは、仮想キャリアの帯域幅外にあるか、又は仮想キャリアの拡張部であり得る。
【００５９】
モバイル通信インフラストラクチャ機器などのネットワークデバイスの動作が、図１６に提供される例によって示されており、以下のように要約される。
【００６０】
Ｓ６：  ネットワークインフラストラクチャ機器（例えばｅノードＢ）が、送信機及び受信機を使用してモバイル通信デバイスにデータを送信し及びそれからデータを受信するためのワイヤレスアクセスインターフェースを提供する。ワイヤレスアクセスインターフェースは、ホスト周波数帯域幅にわたって複数の通信リソース要素を提供し、仮想キャリア帯域幅内に低減ケイパビリティデバイスへの好ましい割当てのための通信リソースの少なくとも１つのセクションを含める。仮想キャリア帯域幅はホスト周波数帯域幅内にあり、仮想キャリア帯域幅内の通信リソースは、仮想キャリアを形成するように仮想キャリア帯域幅内で送信されるデータを表す信号を受信するための通信デバイスへの好ましい割当てのために提供される。
【００６１】
Ｓ８：  ネットワークインフラストラクチャ機器は、通信デバイスから通信デバイスの相対的ケイパビリティを受信する。相対的ケイパビリティは、デバイスが属するクラスの標識として提供され得、ワイヤレスアクセスインターフェースを介してデータを表す信号を受信するための能力を標識し、それらの信号を受信するための少なくとも通信デバイスの帯域幅を標識する。
【００６２】
Ｓ１０：  ネットワークインフラストラクチャ機器は、通信デバイスの相対的ケイパビリティの標識に応答して、第１の仮想キャリア外にあるが通信デバイスの帯域幅内にある通信リソースを割り当てる。
【００６３】
本開示の様々なさらなる態様及び特徴は、添付の特許請求の範囲において定義される。独立請求項の特徴との従属請求項の特徴の様々な組合せが、請求項従属のために具陳された特定の組合せ以外に作成され得る。本開示の実施形態は、大部分は、従来のＬＴＥベースのホストキャリア中に挿入された仮想キャリアを介してデータを送信する低減ケイパビリティデバイスに関して定義されている。しかしながら、任意の好適なデバイス、例えば、従来のＬＴＥタイプデバイスと同じケイパビリティを有するデバイス又は拡張ケイパビリティを有するデバイスが、説明した仮想キャリアを使用してデータを送信及び受信することができることを理解されよう。
【００６４】
本開示のさらなる例示的な態様は、モバイル通信ネットワークからデータを受信するための通信デバイスを提供することができる。モバイル通信ネットワークは、通信デバイスのためのワイヤレスアクセスインターフェースを提供する１つ以上のネットワーク要素を含む。通信デバイスは、モバイル通信ネットワークの１つ以上のネットワーク要素によって提供されるワイヤレスアクセスインターフェースを介してモバイル通信ネットワークにデータを送信するように構成される送信機ユニットと、モバイル通信ネットワークの１つ以上のネットワーク要素によって提供されるワイヤレスアクセスインターフェースを介してモバイル通信ネットワークからデータを受信するように構成される受信機ユニットとを備える。ワイヤレスアクセスインターフェースは、ホスト周波数帯域幅にわたって複数の通信リソース要素を提供し、及び、第１の仮想キャリアを形成する好ましくは低減ケイパビリティデバイスへの割当てのために第１の周波数帯域幅内の通信リソース要素の第１のセクションをホスト周波数帯域幅内に含め、低減ケイパビリティデバイスはそれぞれ、第１の周波数帯域幅よりも大きいか又はそれに等しいがホスト周波数帯域幅よりも小さい受信機帯域幅を有する。通信デバイスは、送信機ユニットと受信機ユニットとの組合せで、ワイヤレスアクセスインターフェースを介してデータを受信するための通信デバイスの相対的ケイパビリティをモバイル通信ネットワークに送信することと、相対的ケイパビリティが、第１の帯域幅よりも大きいか又はそれに等しいホスト周波数範囲内で信号を受信するための少なくとも受信機ユニットの相対的帯域幅の標識を含むことと、通信デバイスの相対的ケイパビリティの標識に応答して、第１の周波数帯域幅外にあるが受信機ユニットの帯域幅内にある通信リソース要素を含む通信リソース要素の割当てを受信することと、を行うように構成されるコントローラを含む。
【００６５】
一例では、モバイル通信ネットワークは、第１の仮想キャリアの容量と低減ケイパビリティデバイスによる第１の仮想キャリアの通信リソース要素への要望に応じて、通信デバイスに第１の仮想キャリアの第１の周波数帯域幅外の通信リソース要素を割り当てる。送信機ユニット及び又は受信機ユニットは、通信デバイスのクラスの所定のセットの１つに対応する帯域幅に従って信号を送信及び／又は受信するように構成され得、受信機ユニットとの組合せでのコントローラは、通信デバイスの所定のクラスに対応する帯域幅内の通信リソース要素を割り当てるリソース割当てメッセージをモバイル通信ネットワークから受信するように構成される。
【００６６】
以下の番号を付されたものは、さらに例示的な本技術の態様および特徴を提供する。
【００６７】
１．モバイル通信ネットワークの一部を形成するためのインフラストラクチャ機器であって、前記インフラストラクチャ機器は、
ワイヤレスアクセスインターフェースを介して通信デバイスにデータを送信するように構成される送信機ユニットと、
前記ワイヤレスアクセスインターフェースを介して通信デバイスから送信されたデータを受信するように構成される受信機ユニットと、ホスト周波数帯域幅にわたって複数の通信リソース要素を提供し、及び、第１の仮想キャリアを形成する第１の周波数帯域幅内で前記送信機ユニットによって送信される前記データを表す信号を受信するための低減ケイパビリティデバイスへの好ましい割当てのために前記第１の帯域幅内の通信リソース要素の第１のセクションを前記ホスト周波数帯域幅内に含める、前記ワイヤレスアクセスインターフェースを形成するように前記送信機ユニットと前記受信機ユニットとを制御するように構成されるコントローラと、を備え、前記低減ケイパビリティデバイスはそれぞれ、前記第１の周波数帯域幅よりも大きいか又はそれに等しいが前記ホスト周波数帯域幅よりも小さい受信機帯域幅を有し、前記コントローラは、前記送信機ユニットと前記受信機ユニットとの組合せで、
前記ワイヤレスアクセスインターフェースを介して前記データを表す信号を受信するための通信デバイスの相対的ケイパビリティを前記通信デバイスから受信することと、前記相対的ケイパビリティは、前記第１の帯域幅よりも大きいか又はそれに等しい前記ホスト周波数範囲内で前記信号を受信するための前記通信デバイスの相対的帯域幅の標識を少なくとも含み、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を行うように構成される、インフラストラクチャ機器。
【００６８】
２．前記インフラストラクチャ機器は、前記第１の仮想キャリアの容量と前記低減ケイパビリティデバイスによる前記第１の仮想キャリアの前記通信リソース要素への要望とに応じて、前記通信デバイスに前記第１の帯域幅外の前記通信リソース要素を割り当てる、条項１に記載のインフラストラクチャ機器。
【００６９】
３．前記送信機ユニットと前記受信機ユニットとの組合せでの前記コントローラは、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスの所定のクラスの１つに対応する帯域幅内の共有通信リソース要素を前記通信デバイスに割り当てるリソース割当てメッセージを前記通信デバイスに送信することと、
を行うように構成される、条項１に記載のインフラストラクチャ機器。
【００７０】
４．前記コントローラは、前記受信機ユニットとの組合せで、
前記通信デバイスのうちの１つから、前記所定のクラスのうちの１つからの前記通信デバイスの前記クラスを受信するように構成され、各クラスは、前記通信デバイスが前記ワイヤレスアクセスインターフェースから信号を受信することができる異なる周波数帯域幅を定義する、
条項３に記載のインフラストラクチャ機器。
【００７１】
５．前記コントローラは、前記送信機ユニットと前記受信機ユニットとの組合せで、
前記モバイル通信ネットワークにアタッチするようにとの要求を受信したことに応答して、前記通信デバイスが属する前記クラスの標識を通信するようにとの要求を送信することと、
前記通信デバイスの前記クラスについての前記送信された要求に応答して、前記通信デバイスの前記クラスの標識を受信することと、
を行うように構成される、条項４に記載のインフラストラクチャ機器。
【００７２】
６．前記コントローラは、前記送信機ユニットと前記受信機ユニットとの組合せで、
前記ワイヤレスアクセスインターフェースの前記ホスト周波数帯域幅内で、第２の帯域幅内の前記低減ケイパビリティデバイスへの好ましい割当てのための通信リソース要素の第２のセクションを提供する、第２の仮想キャリアとの前記ワイヤレスアクセスインターフェースを形成することと、
前記第２の仮想キャリアのロケーションを提供するシグナリング情報を送信することと、
前記通信デバイスのケイパビリティに従って、前記第２の仮想キャリアと前記第１の仮想キャリアとの通信リソース要素から前記通信デバイスのうちの１つにデータを表す信号を送信することと、
を行うように構成される、条項１に記載のインフラストラクチャ機器。
【００７３】
７．前記コントローラは、前記送信機ユニットと前記受信機ユニットとの組合せで、
前記第１の仮想キャリアと前記第２の仮想キャリアとの通信リソース要素を割り当てるためのメッセージを前記通信デバイスに通信するための制御チャネルを含む、前記第１の仮想キャリアとの前記ワイヤレスアクセスインターフェースを形成することと、
前記通信デバイスに前記制御チャネル上でリソース割当てメッセージを送信することと、前記リソース割当てメッセージが、前記第１の仮想キャリアと前記第２の仮想キャリアとの内の通信リソース要素を割り当てることと、
前記第１の仮想キャリアと前記第２の仮想キャリアとの前記割り当てられた通信リソース要素から前記低減ケイパビリティ通信デバイスに信号を送信することと、
を行うように構成される、条項６に記載のインフラストラクチャ機器。
【００７４】
８．前記第１の仮想キャリアは、実質的に前記ホスト周波数帯域幅の中央に位置する、条項１に記載のインフラストラクチャ機器。
【００７５】
９．前記第１の仮想キャリア帯域幅は、他の制御情報を提供するための１つ以上の他の制御チャネルを含み、前記コントローラは、前記受信機ユニットとの組合せで、前記他の制御チャネルから他の制御情報を受信するように構成される、条項８に記載のインフラストラクチャ機器。
【００７６】
１０．モバイル通信ネットワークの一部を形成するためのインフラストラクチャ機器から通信デバイスと通信する方法であって、前記方法は、
ワイヤレスアクセスインターフェースを介して通信デバイスにデータを送信することと、
前記ワイヤレスアクセスインターフェースを介して通信デバイスから送信されたデータを受信することと、前記ワイヤレスアクセスインターフェースが、ホスト周波数帯域幅にわたって複数の通信リソース要素を提供し、及び、第１の仮想キャリアを形成する前記第１の帯域幅内で前記送信機ユニットによって送信される前記データを表す信号を受信するための低減ケイパビリティデバイスへの好ましい割当てのために第１の周波数帯域幅内の通信リソース要素の第１のセクションを前記ホスト周波数帯域幅内に含めることと、前記低減ケイパビリティデバイスがそれぞれ、前記第１の周波数帯域幅よりも大きいか又はそれに等しいが前記ホスト周波数帯域幅よりも小さい受信機帯域幅を有することと、
前記ワイヤレスアクセスインターフェースを介して前記データを表す信号を受信するための通信デバイスの相対的ケイパビリティを前記通信デバイスから受信することと、前記相対的ケイパビリティが、前記第１の帯域幅よりも大きいか又はそれに等しい前記ホスト周波数範囲内で前記信号を受信するための少なくとも１つの前記通信デバイスの相対的帯域幅の標識を含むことと、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を含む、方法。
【００７７】
１１．前記第１の仮想キャリアの前記第１の周波数範囲外の通信リソース要素を前記割り当てることは、前記第１の仮想キャリアの容量と前記低減ケイパビリティデバイスによる前記第１の仮想キャリアの前記通信リソース要素への要望とに応じて、前記通信デバイスに前記第１の仮想キャリア外の前記通信リソース要素を割り当てることを含む、条項１０に記載の方法。
【００７８】
１２．前記第１の周波数帯域幅外にある通信リソース要素を含む通信リソース要素を前記割り当てることは、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスの所定のクラスのうちの１つに対応する帯域幅内の共有通信リソース要素を前記通信デバイスに割り当てるリソース割当てメッセージを前記通信デバイスに送信することと、
を含む、条項１０に記載の方法。
【００７９】
１３．前記第１の仮想キャリア外の通信リソースを前記割り当てることは、
前記通信デバイスのうちの１つから、前記所定のクラスのうちの１つからの前記通信デバイスの前記クラスを受信することを含み、各クラスは、前記通信デバイスが前記ワイヤレスアクセスインターフェースから信号をその内で受信することができる異なる周波数帯域幅を定義する、
条項１２に記載の方法。
【００８０】
１４．前記通信デバイスのうちの１つから、前記所定のクラスのうちの１つからの前記通信デバイスの前記前記クラスを受信することは、
前記モバイル通信ネットワークにアタッチするようにとの要求を受信したことに応答して、前記通信デバイスが属する前記クラスの標識を通信するようにとの要求を送信することと、
前記通信デバイスの前記クラスについての前記送信された要求に応答して、前記通信デバイスの前記クラスの標識を受信することと、
を含む、条項１３に記載の方法。
【００８１】
１５．前記第１の仮想キャリア外の通信リソースを前記割り当てることは、
前記ワイヤレスアクセスインターフェースの前記ホスト周波数帯域幅内で、第２の帯域幅内の前記低減ケイパビリティデバイスへの好ましい割当てのための通信リソース要素の第２のセクションを提供する、第２の仮想キャリアとの前記ワイヤレスアクセスインターフェースを形成することと、
前記第２の仮想キャリアのロケーションを提供するシグナリング情報を送信することと、
前記通信デバイスのケイパビリティに従って、前記第２の仮想キャリアと前記第１の仮想キャリアとの通信リソース要素から前記通信デバイスのうちの１つにデータを表す信号を送信することと、
を含む、条項１０に記載の方法。
【００８２】
１６．前記第１の仮想キャリアとの前記ワイヤレスアクセスインターフェースを前記形成することは、
前記第１の仮想キャリアと前記第２の仮想キャリアとの通信リソース要素を割り当てるためのメッセージを前記通信デバイスに通信するための制御チャネルを含む、前記第１の仮想キャリアとの前記ワイヤレスアクセスインターフェースを形成することと、
前記通信デバイスに前記制御チャネル上でリソース割当てメッセージを送信することと、前記リソース割当てメッセージが、前記第１の仮想キャリアと前記第２の仮想キャリアとの内の通信リソース要素を割り当てることと、
前記第１の仮想キャリアと前記第２の仮想キャリアとの前記割り当てられた通信リソース要素から前記低減ケイパビリティ通信デバイスに信号を送信することと、
を含む、条項１４に記載の方法。
【００８３】
１７．前記第１の仮想キャリアは、実質的に前記ホスト周波数帯域幅の中央に位置する、条項１０に記載の方法。
【００８４】
１８．前記第１の仮想キャリアは、他の制御情報を提供するための１つ以上の他の制御チャネルを含み、前記コントローラは、前記受信機ユニットとの組合せで、前記他の制御チャネルから他の制御情報を受信するように構成される、条項１７に記載の方法。
【００８５】
１９．通信デバイスにデータを送信するために又はそれからデータを受信するためにワイヤレスアクセスインターフェースを形成するように構成される１つ以上のインフラストラクチャ機器を備えるモバイル通信ネットワークであって、前記ワイヤレスアクセスインターフェースは、ホスト周波数帯域幅にわたって複数の通信リソース要素を提供し、及び、第１の仮想キャリアを形成する第１の周波数帯域幅内で前記送信機ユニットによって送信される前記データを表す信号を受信するための好ましくは低減ケイパビリティデバイスへの割当てのために前記第１の帯域幅内の通信リソース要素の第１のセクションを前記ホスト周波数帯域幅内に含め、前記低減ケイパビリティデバイスはそれぞれ、前記第１の周波数帯域幅よりも大きいか又はそれに等しいが前記ホスト周波数帯域幅よりも小さい受信機帯域幅を有し、前記インフラストラクチャ機器は、
前記ワイヤレスアクセスインターフェースを介して前記データを表す信号を受信するための通信デバイスの相対的ケイパビリティを前記通信デバイスから受信することと、前記相対的ケイパビリティが、前記第１の帯域幅よりも大きいか又はそれに等しい前記ホスト周波数範囲内で前記信号を受信するための少なくとも前記通信デバイスの相対的帯域幅の標識を含むことと、
前記通信デバイスの前記相対的ケイパビリティの前記標識に応答して、前記第１の周波数帯域幅外にあるが前記通信デバイスの前記帯域幅内にある通信リソース要素を含む通信リソース要素を割り当てることと、
を行うように構成される、モバイル通信ネットワーク。
【００８６】
２０．前記インフラストラクチャ機器は、
通信デバイスのクラスの所定のセットの１つに従って通信デバイスから信号を受信し及び／又はそれに信号を送信することと、各クラスが、前記通信デバイスが前記インフラストラクチャ機器から信号をその内で受信することができる異なる周波数帯域幅を定義することと、
前記通信デバイスのクラスの所定の数のうちの１つに対応する帯域幅内の共有通信リソース要素を前記通信デバイスに割り当てるリソース割当てメッセージを前記通信デバイスに送信することと、
を行うように構成される、条項１９に記載のモバイル通信ネットワーク。
【００８７】
２１．前記インフラストラクチャ機器は、
前記通信デバイスのうちの１つから、前記所定のクラスのうちの１つからの前記通信デバイスの前記クラスを受信するように構成され、各クラスは、前記通信デバイスが前記ワイヤレスアクセスインターフェースから信号をその内で受信することができる異なる周波数帯域幅を定義する、
条項２０に記載のモバイル通信ネットワーク。
【００８８】
２２．モバイル通信ネットワークと通信デバイスとを備えるモバイル通信システムであって、
前記モバイル通信ネットワークは、通信デバイスにデータを送信するために又はそれからデータを受信するためにワイヤレスアクセスインターフェースを形成するように構成される１つ以上のインフラストラクチャ機器を備え、前記ワイヤレスアクセスインターフェースは、ホスト周波数帯域幅にわたって複数の通信リソース要素を提供し、及び、第１の仮想キャリアを形成する第１の周波数帯域幅内で前記送信機ユニットによって送信される前記データを表す信号を受信するための好ましくは低減ケイパビリティデバイスへの割当てのために前記第１の帯域幅内の通信リソース要素の第１のセクションを前記ホスト周波数帯域幅内に含め、前記低減ケイパビリティデバイスはそれぞれ、前記第１の周波数帯域幅よりも大きいか又はそれに等しいが前記ホスト周波数帯域幅よりも小さい受信機帯域幅を有し、前記通信デバイスは、
前記ワイヤレスアクセスインターフェースを介してデータを受信するための前記通信デバイスの相対的ケイパビリティを前記モバイル通信ネットワークに送信するように構成され、前記相対的ケイパビリティは、前記第１の帯域幅よりも大きいか又はそれに等しい前記ホスト周波数範囲内で少なくとも前記受信機ユニットの相対的帯域幅の標識を含み、
前記インフラストラクチャ機器は、
前記通信デバイスから前記通信デバイスの前記相対的ケイパビリティを受信することと、応答して、前記通信デバイスの前記相対的ケイパビリティの前記標識に応答して、前記通信デバイスに前記第１の周波数帯域幅外にあるが前記通信デバイスの前記帯域幅内にある通信リソース要素を割り当てることと、を行うように構成される、
モバイル通信システム。
【図１】
0006346198.tif 000002
【図２】
0006346198.tif 000003
【図３】
0006346198.tif 000004
【図４】
0006346198.tif 000005
【図５】
0006346198.tif 000006
【図６】
0006346198.tif 000007
【図７】
0006346198.tif 000008
【図８】
0006346198.tif 000009
【図９】
0006346198.tif 000010
【図１０】
0006346198.tif 000011
【図１１】
0006346198.tif 000012
【図１２】
0006346198.tif 000013
【図１３】
0006346198.tif 000014
【図１４】
0006346198.tif 000015
【図１５】
0006346198.tif 000016
【図１６】
0006346198.tif 000017